(57)【要約】【課題】  被計量物の残留物の付着・堆積を低減させ、集合シュートの高さを抑え、組合せ計量装置の高さを抑えて、被計量物の割れ欠を低減させる。【解決手段】  横方向に一列に配置されていて、被計量物２０を収容するとともに、被計量物２０を下方に排出する複数のホッパ４と、最下端部に被計量物の１つの吐出口１１を有し、複数のホッパ４から排出される被計量物２０を吐出口１１に滑動させる滑動面９を備えた集合シュート８とを含む組合せ計量装置１において、ホッパ４から排出されて落下する被計量物２０が滑動面９に到達する地点における滑動面９の傾斜が、集合シュート８の吐出口１１から遠いほど急になっている。【選択図】    図１
2005140583.tif 000002
【特許請求の範囲】
【請求項１】
横方向に一列に配置されていて、被計量物（２０）を収容するとともに、該被計量物を下方に排出する複数のホッパ（４）と、
最下端部に被計量物の１つの吐出口（１１）を有し、前記複数のホッパから排出される前記被計量物を前記吐出口に滑動させる滑動面（９）を備えた集合シュート（８）とを含む組合せ計量装置（１）において、
前記ホッパから排出されて落下する前記被計量物が前記滑動面に到達する地点における該滑動面の傾斜が、前記集合シュートの吐出口から遠いほど急になっていることを特徴とする組合せ計量装置。
【請求項２】
請求項１に記載の組合せ計量装置において、
前記被計量物が、最下段に配置されるホッパ（４ａ）のうちで前記集合シュートの前記吐出口に近いホッパから前記吐出口から遠いホッパの順に順次排出され、前記吐出口から遠いホッパから排出される前記被計量物が最後に前記吐出口から排出されることを特徴とする。
【発明の詳細な説明】
【技術分野】
【０００１】
本発明は、食品などの被計量物を所定量となるように組み合わせて排出する組合せ計量装置に関し、特に、被計量物の集合排出に関するものである。
【背景技術】
【０００２】
一般に、組合せ計量装置は、複数の計量部で計量された被計量物の組み合わせの中から目標重量範囲となる組み合わせを選定し、その選定された被計量物を集合排出するように構成されている。
【０００３】
従来の組合せ計量装置において、装置の最下段に配設され、組合せ選定を終えた被計量物を集合排出する集合シュートには、略漏斗状のもの、あるいは長手方向が開口よりも小径に形成されている排出口を有した略筒状のものなどがある。これらの集合シュートは、いずれも開口から排出口まで、例えば、４５°，５０°というような一律の角度で連続した傾斜面が形成されている。
【０００４】
また、下記特許文献１に開示され、図６に示すような組合せ計量装置１００は、被計量物を搬送するための複数の供給トラフ１０２が分散テーブル１０１を中心として略放射状に配設され、各供給トラフ１０２に対応させて、その先端部下方においてプールホッパ１０３および計量ホッパ１０４が順次上から下へと配置されているものである。
【０００５】
この組合せ計量装置１００の下方には、上部が広く開口された集合シュート１０５が配置されている。この集合シュート１０５は、平面視でみて全体が左右に区切られた半円状の第１集合シュート１０６と第２集合シュート１０７とを有し、これらの第１，第２集合シュート１０６，１０７がともに上部シュート部材１０６ａ，１０７ａと下部シュート部材１０６ｂ，１０７ｂおよび吐出部材１０６ｃ，１０７ｃとに分割されているとともに、集合シュート１０５の各上部シュート部材１０６ａ，１０７ａにより形成された上部受入口１０８，１０８から各吐出部材１０６ｃ，１０７ｃに形成された下部吐出部口１０９，１０９にかけて絞縮された漏斗形状とされている。上部シュート部材１０６ａ，１０７ａは、下部シュート部材１０６ｂ，１０７ｂの上縁部内側面側に連接された複数のシュート面１０６ａ’，１０７ａ’を円弧状に連続させて一体形成された形状とされているとともに、下部シュート部材１０６ｂ，１０７ｂも吐出部材１０６ｃ，１０７ｃの上縁部内側面側に連接された複数のシュート面１０６ｂ’，１０７ｂ’を円弧状に連続させて一体形成された形状とされている。また、上記吐出部材１０６ｃ，１０７ｃは、下部シュート部材１０６ｂ，１０７ｂの下端縁を包囲する複数のシュート面１０６ｃ’，１０７ｃ’を円弧状に連続させた漏斗状に形成されている。また、下部シュート部材１０６ｂ，１０７ｂにおける複数のシュート面１０６ｂ’，１０７ｂ’のうち傾斜角度が急傾斜とされたシュート面１０６ｂ’，１０７ｂ’については、このシュート面１０６ｂ’，１０７ｂ’に沿ってその傾斜角度より緩やかな傾斜角度とされた補助シュート板１１０，１１０が配設されている。
【特許文献１】実開平６−５８３２８号公報
【発明の開示】
【発明が解決しようとする課題】
【０００６】
しかしながら、上述した従来の組合せ計量装置では、集合シュートの傾斜面の角度が、一律の角度で形成され、また、それが比較的緩やかな傾斜であるため、例えば、スナック菓子などの付着性の高い被計量物を集合排出すると、集合シュート内に被計量物の粉やなどの残留物が付着・堆積してしまうという問題があった。
【０００７】
また、集合シュートの傾斜面を急傾斜とすることで、この傾斜面に被計量物の粉などの残留物の付着・堆積を防ぐことができるが、集合シュートの高さが高くなり、それに伴い被計量物の落下高さも高くなることから、被計量物に割れ欠けが生じてしまう。さらに、組合せ計量装置全体の高さも高くなり、この組合せ計量装置を設置する場所の天井高さを確保するのが困難であった。そして、集合シュート自体が大型化してしまい、清掃などの作業が困難となっていた。
【０００８】
図６に示すような組合せ計量装置では、被計量物が外部へ飛散することを防ぐために、上部シュート部材１０６ａ，１０７ａの外側面と下部シュート部材１０６ｂ，１０７ｂの内側面とは、重なりあって接続され、上部シュート部材１０６ａ，１０７ａに補助シュート板１１０，１１０が配設されており、重なりあった、補助シュート板１１０，１１０の背面に位置する下部シュート部材１０６ｂ，１０７ｂの内側面上に被計量物の粉などの残留物が堆積していた。また、集合シュート１０５が、複数のシュート部材によって構成されているため、集合シュートが大型化してしまい、清掃などの作業が困難となっていた。
【０００９】
さらに、このような集合シュート１０５が用いられる組合せ計量装置は、その形状から円形の組合せ計量装置に限られてしまい、矩形の組合せ計量装置に使用することができない。
【００１０】
そこで本発明は、上記課題を解消するために、集合シュート内の被計量物の残留物の付着・堆積を低減させ、且つ集合シュートの高さを抑えることができ、したがって、組合せ計量装置の高さを抑えることができ、それにより、被計量物の割れ欠を低減させることが可能な組合せ計量装置を提供することを目的としている。
【課題を解決するための手段】
【００１１】
次に、上記の課題を解決するための手段を、実施の形態に対応する図面を参照して説明する。
本発明の請求項１記載の組合せ計量装置によれば、横方向に一列に配置されていて、被計量物２０を収容するとともに、該被計量物２０を下方に排出する複数のホッパ４と、
最下端部に被計量物の１つの吐出口１１を有し、前記複数のホッパ４から排出される前記被計量物２０を前記吐出口１１に滑動させる滑動面９を備えた集合シュート８とを含む組合せ計量装置１において、
前記ホッパ４から排出されて落下する前記被計量物２０が前記滑動面９に到達する地点における該滑動面９の傾斜が、前記集合シュート８の吐出口１１から遠いほど急になっていることを特徴とする。
【００１２】
このような組合せ計量装置によれば、横一列に並んだ最下段のホッパ４ａから排出される被計量物２０のうち、集合シュート８の吐出口１１までの直線距離が遠いホッパ４ａから排出される被計量物２０ほど早く滑動面９に到達し、且つ遅れて吐出口１１から排出される。つまり、吐出口１１から遠いホッパ４ａから排出される被計量物２０は、直線距離が吐出口１１に近いホッパ４ａから排出される被計量物２０がそれぞれの滑動面９に到達する地点を、これら吐出口１１に近いホッパ４ａから排出される被計量物２０が到達した後に通過する。したがって、吐出口１１から遠いホッパ４ａから排出される被計量物２０は、それぞれの滑動面９上の被計量物２０の粉などの残留物を併呑しながら吐出口１１より排出される。これにより、集合シュート８内に付着・堆積している被計量物２０の粉などの残留物を除去することが可能となる。
【００１３】
また、各滑動面９のうち、その傾斜が吐出口１１から遠いほど急傾斜となっていることにより、吐出口１１からの直線距離が遠いホッパ４ａから排出される被計量物２０ほど、滑動速度が高速となり勢いよく滑動面９上を滑動する。これにより、上記同様に、集合シュート８内に付着・堆積している被計量物２０の粉などの残留物を除去することが可能となる。
【００１４】
さらに、集合シュート８の開口１０から吐出口１１までの各滑動面９の傾斜角度を、急傾斜から次第に緩やかにしていくことにより、集合シュート８自体の高さを抑えることが可能となる。したがって、被計量物２０の落下高さも抑えられ、これにより、被計量物２０の割れ欠けを低減させることが可能となる。
【００１５】
本発明の請求項２記載の組合せ計量装置によれば、請求項１に記載の組合せ計量装置において、
前記被計量物２０が、最下段に配置されるホッパ４ａのうちで前記集合シュート８の前記吐出口１１に近いホッパ４ａから前記吐出口１１から遠いホッパ４ａの順に順次排出され、前記吐出口１１から遠いホッパ４ａから排出される前記被計量物２０が最後に前記吐出口１１から排出されることを特徴とする。
【００１６】
このような組合せ計量装置によれば、横一列に並んだ最下段のホッパ４ａのうち、まず、直線距離が吐出口１１に近いホッパ４ａから被計量物２０を排出させ、所定時間遅らせて、順次、直線距離が吐出口１１から遠いホッパ４ａまでの被計量物２０を排出させることにより、吐出口１１に近いホッパ４ａから排出される被計量物２０は、吐出口１１から遠いホッパ４ａから排出される被計量物２０よりも確実に早く吐出口１１から排出される。したがって、吐出口１１から遠いホッパ４ａから排出される被計量物２０は、滑動面９上の被計量物２０の粉などの残留物を併呑しながら吐出口１１より排出される。これにより、上記同様に、集合シュート８内に付着・堆積している被計量物２０の粉などの残留物を除去することが可能となる。
【発明の効果】
【００１７】
本発明による請求項１記載の組合せ計量装置によれば、横一列に並んだ最下段のホッパから排出される被計量物のうち、集合シュートの吐出口までの直線距離が遠いホッパから排出される被計量物ほど早く滑動面に到達し、且つ遅れて吐出口から排出される。つまり、吐出口から遠いホッパから排出される被計量物は、直線距離が吐出口に近いホッパから排出される被計量物がそれぞれの滑動面に到達する地点を、これら吐出口に近いホッパから排出される被計量物が到達した後に通過する。したがって、吐出口から遠いホッパから排出される被計量物は、それぞれの滑動面上の被計量物の粉などの残留物を併呑しながら吐出口より排出される。これにより、集合シュート内に付着・堆積している被計量物の粉などの残留物を除去することが可能となる。
【００１８】
また、各滑動面のうち、その傾斜が吐出口から遠いほど急傾斜となっていることにより、吐出口からの直線距離が遠いホッパから排出される被計量物ほど、滑動速度が高速となり勢いよく滑動面上を滑動する。これにより、上記同様に、集合シュート内に付着・堆積している被計量物の粉などの残留物を除去することが可能となる。
【００１９】
さらに、集合シュートの開口から吐出口までの各滑動面の傾斜角度を、急傾斜から次第に緩やかにしていくことにより、集合シュート自体の高さを抑えることが可能となる。したがって、被計量物の落下高さも抑えられ、これにより、被計量物の割れ欠けを低減させることが可能となる。
【００２０】
請求項２記載の組合せ計量装置によれば、横一列に並んだ最下段のホッパのうち、まず、直線距離が吐出口に近いホッパから被計量物を排出させ、所定時間遅らせて、順次、直線距離が吐出口から遠いホッパまでの被計量物を排出させることにより、吐出口に近いホッパから排出される被計量物は、吐出口から遠いホッパから排出される被計量物よりも確実に早く吐出口から排出される。したがって、吐出口から遠いホッパから排出される被計量物は、滑動面上の被計量物の粉などの残留物を併呑しながら吐出口より排出される。これにより、上記同様に、集合シュート内に付着・堆積している被計量物の粉などの残留物を除去することが可能となる。
【発明を実施するための最良の形態】
【００２１】
以下、本発明の実施の形態を図面を参照して具体的に説明する。
図１は本発明による組合せ計量装置の一実施の形態を示す正面図、図２（ａ）は同組合せ計量装置を構成する集合シュートの一実施の形態を示す上方からの斜視図、図２（ｂ）は同下方からの斜視図、図３は本発明による組合せ計量装置を構成する集合シュート内における被計量物の動作を示す動作図である。
【００２２】
本実施の形態による組合せ計量装置１は、タンク２と、その下方に配設される供給トラフ３と、供給トラフ３の下方に配設されるストックホッパ５と、ストックホッパ５の下方に配設される計量ホッパ６と、計量ホッパ６の下方に配設されるメモリホッパ７と、メモリホッパ７の下方に設けられる集合シュート８とを主要な構成部材として備えている。
【００２３】
タンク２は、図１に示すように、計量装置の最上部に設けられ、略長方形状の開口部を上下方向に連通する四角形の筒状をなしている。タンク２の下側の開口部は、後述の各供給トラフ３上に位置する。タンク２には、上部の開口部から被計量物２０が投入され、この被計量物２０を貯留する。
【００２４】
供給トラフ３は、一定方向を向いて複数並べられている。つまり、供給トラフ３は、直線状の横一列に並べられた状態で配設されている。また、この供給トラフ３は、後述する構成によって振動し、それによって被計量物２０を下流へ送る。なお、本実施の形態では６個の供給トラフ３が並設されているが、供給トラフ３の数は、これに限定されるものではない。
【００２５】
前記供給トラフ３は、図示しない駆動源によって振動が発生し、トラフ３本体が下方へ沈み込みながら外方に変位した後、トラフ３本体が上方へ浮き上がりながら内方に変位して、このトラフ３本体が繰り返し振動する。この振動によりトラフ３本体上の被計量物２０がストックホッパ５へ搬送される。
【００２６】
ストックホッパ５は、それぞれの供給トラフ３の下方に配設されている。ストックホッパ５は、上部に開口５ａを有するとともに下部に排出口５ｂを有し、供給トラフ３から供給された被計量物２０を排出口５ｂから排出可能としている。排出口５ｂには、図示しないシャッタが設けられ、駆動部によって開閉駆動される。
【００２７】
計量ホッパ６は、それぞれのストックホッパ５の排出口５ａの下方に配設されている。この計量ホッパ６は、上部に開口６ａを有するとともに下部に排出口６ｂを有し、ストックホッパ５から供給された被計量物２０を排出口６ｂから排出可能としている。排出口６ｂには、図示しないシャッタが設けられ、駆動部によって開閉駆動される。また、各計量ホッパ６に供給された被計量物２０は、図示しない計量器によってそれぞれ計量される。
【００２８】
メモリホッパ７は、それぞれの計量ホッパ６の排出口６ａの下方に配設されている。このメモリホッパ７は、上部に開口７ａを有するとともに下部に排出口７ｂを有し、計量ホッパ６から供給された被計量物２０を排出口７ｂから排出可能としている。また、メモリホッパ７の排出口７ｂにも、ストックホッパ５および計量ホッパ６の場合と同様に図示しないシャッタが設けられ、駆動部によって開閉駆動される。なお、本実施の形態では、メモリホッパ７は、各種ホッパ４の最下段に位置する。
【００２９】
最下段のホッパ４ａとしてのメモリホッパ７には、メモリホッパ７に供給された被計量物２０を、ホッパの並び方向Ｘにおける内側のメモリホッパ７から外側のメモリホッパ７に向かって時間差で排出させるための図示しない遅延時間（パラメータ）システムが搭載されている。
【００３０】
集合シュート８は、メモリホッパ７の下方に配設されている。図２（ａ），（ｂ）に示すように、集合シュート８は、略筒状に形成されており、上部には長手方向がホッパの並び方向Ｘに延びる開口１０を有し、下部には長手方向の寸法が開口１０よりも小径に形成されている吐出口１１を有している。集合シュート８には、被計量物２０を開口１０から吐出口１１まで滑動させる滑動面９が形成されている。
【００３１】
滑動面９は、本実施の形態では、第１から第３までの滑動面９（９ａ，９ｂ，９ｃ）で形成されている。第１の滑動面９ａは、開口１０の長手方向両端側に形成され、第１から第３までの滑動面９（９ａ，９ｂ，９ｃ）のうちで最も急な傾斜面として形成されている。第２の滑動面９ｂは、第１の滑動面９ａから連続して形成され、第１の滑動面９ａよりもやや緩やかな傾斜面として形成されている。第３の滑動面９ｃは、第２の滑動面９ｂから連続して形成され、第１から第３までの滑動面９（９ａ，９ｂ，９ｃ）のうちで最も緩やかな傾斜面として形成されている。第１から第３までの滑動面９（９ａ，９ｂ，９ｃ）は、集合シュート８の側面をなしており、開口１０から吐出口１１まで段階的に傾斜角度を変えて形成されている。
【００３２】
上述した組合せ計量装置１では、タンク２に収容された被計量物２０を各供給トラフ３によって各ストックホッパ５に供給する。各ストックホッパ５は、所定量の被計量物２０を蓄え、この被計量物２０を図示しないシャッタの開放により下方の計量ホッパ６に排出する。なお、各供給トラフ３は、その下方のストックホッパ５の被計量物２０がなくなると新たな被計量物２０をストックホッパ５に供給する。
各計量ホッパ６は、各ストックホッパ５からの被計量物２０を蓄え、この被計量物２０を図示しないそれぞれ計量器にて計量する。
次いで、計量後、各ストックホッパ５は、被計量物２０を図示しないシャッタの開放により下方のメモリホッパ７に排出する。
【００３３】
各計量器の計量信号は、図示しない組合せ選定手段に入力される。組合せ選定手段は、各計量ホッパ６に供給された被計量物２０の重量を各計量器の計量信号に基づいて記憶する。そして、例えば包装ライン等から排出要求信号を受けると、各計量ホッパ６で計量された被計量物２０の重量値の組合せのなかから目標重量範囲内の組合せを選定し、組合せに選定された被計量物２０を収容している計量ホッパ６及び／またはメモリホッパ７に対応する選定信号を出力して各シャッタを開放させる。これにより、目標重量範囲内の重量に組み合わされた被計量物２０が集合シュート８に排出される。
【００３４】
なお、組合せ選定手段による被計量物２０の選定方法には複数の方法がある。まず、計量ホッパ６に収容されている被計量物２０の中から組合せを選定し、選定した被計量物２０のみをメモリホッパ７に一旦収容してから排出させる方法がある。また、計量ホッパ６で計量された被計量物２０をメモリホッパ７に収容し、メモリホッパ７に収容した被計量物２０の中から組合せを選定する方法がある。そして、計量ホッパ６内の被計量物２０とメモリホッパ７内の被計量物２０の中から組合せを選定する方法等がある。本発明の組合せ計量装置１においては、そのいずれの方法が採用されてもよい。
【００３５】
この実施の形態によれば、横一列に並んだメモリホッパ７から排出される被計量物２０のうち、直線距離が集合シュート８の吐出口１１から最も遠いメモリホッパ７から排出される被計量物２０（２０Ａ）ほど早く滑動面９（９ａ）に到達し、且つ遅れて吐出口１１から排出される。つまり、吐出口１１から遠いメモリホッパ７から排出される被計量物２０（２０Ａ）は、吐出口１１に近いメモリホッパ７から排出される被計量物２０（２０Ｃ，２０Ｂ）がそれぞれ第３，第２の滑動面９ｃ，９ｂに到達する地点を、これら吐出口１１に近いメモリホッパ７から排出される被計量物２０（２０Ｃ，２０Ｂ）が到達した後に通過する。したがって、吐出口１１から遠いメモリホッパ７から排出される被計量物２０（２０Ａ）は、第１から第３の滑動面９（９ａ，９ｂ，９ｃ）上の被計量物２０の粉などの残留物を併呑しながら吐出口１１より排出される。これにより、集合シュート８内に付着・堆積している被計量物２０の粉などの残留物を除去することが可能となる。
【００３６】
また、前述したように、第１から第３の滑動面９（９ａ，９ｂ，９ｃ）のうち、その傾斜が吐出口１１からの直線距離が遠いほど急傾斜となっていることにより、吐出口１１から遠いメモリホッパ７から排出される被計量物２０（２０Ａ）ほど、滑動速度が高速となり勢いよく滑動面９上を滑動する。これにより、上記同様に、集合シュート８内に付着・堆積している被計量物２０の粉などの残留物を除去することが可能となる。
【００３７】
さらに、第１から第３の滑動面９（９ａ，９ｂ，９ｃ）の傾斜角度を、急傾斜から次第に緩やかにしていくことにより、集合シュート８自体の高さを抑えることが可能となる。したがって、被計量物２０の落下高さも抑えられ、これにより、被計量物２０の割れ欠けを低減させることが可能となる。
【００３８】
以下、メモリホッパ７から排出される被計量物２０の集合シュート８内での動作について、図３を参照して説明する。
【００３９】
まず、例えば、図３（ａ）に示すように、３箇所のメモリホッパ７には、目標重量範囲内となるように組合せ選定された被計量物２０が貯留されるとする。
次に、図３（ｂ）に示すように、上記した各メモリホッパ７に搭載されている遅延時間（パラメータ）システムによって、最初に、直線距離が集合シュート８の吐出口１１に最も近いメモリホッパ７から排出される被計量物２０Ｃ（ホッパの並び方向Ｘにおける内側に位置するメモリホッパ７から排出される被計量物２０Ｃ）が、集合シュート８へ排出され、その後、所定時間遅らせて、外側となる両隣りの被計量物２０Ｂがメモリホッパ７から集合シュート８へ排出される。
そして、図３（ｃ）に示すように、直線距離が集合シュート８の吐出口１１から最も遠いメモリホッパ７から排出される被計量物２０Ａ（ホッパの並び方向Ｘにおける両外側端側となるメモリホッパ７から排出される被計量物２０Ａ）が集合シュート８へ排出される。このとき、被計量物２０Ｃ，２０Ｂは、それぞれ第３および第２の滑動面９ｃ，９ｂに到達して、吐出口１１へ向かって滑動を開始する。
次に、図３（ｄ）に示すように、メモリホッパ７から最後に排出された、吐出口１１から最も遠いメモリホッパ７から排出される被計量物２０Ａが第１の滑動面９ａに到達して、吐出口１１へ向かって滑動を開始する。また、先に第３および第２滑動面９ｃ，９ｂに到達した被計量物２０Ｃ，２０Ｂは、吐出口１１に向かって滑動している状態にある。
最後に、図３（ｅ）に示すように、集合シュート８の各滑動面９（９ａ，９ｂ，９ｃ）を滑動した各被計量物２０Ｃ，２０Ｂ，２０Ａは、吐出口１１から順次排出される。
【００４０】
このような順序で被計量物２０（２０Ａ，２０Ｂ，２０Ｃ）が集合シュート８内に排出されることによって、吐出口１１に近いメモリホッパ７から排出される被計量物２０Ｃは、吐出口１１から遠いメモリホッパ７から排出される被計量物２０Ａよりも確実に早く吐出口１１から排出される。したがって、吐出口１１から遠いメモリホッパ７から排出される被計量物２０Ａは、滑動面９（９ａ，９ｂ，９ｃ）上の被計量物２０の粉などの残留物を併呑しながら吐出口１１より排出される。これにより、上記同様に、集合シュート８内に付着・堆積している被計量物２０の粉などの残留物を除去することが可能となる。
【００４１】
なお、本実施の形態では、滑動面が第１から第３までの３つの滑動面９ａ，９ｂ，９ｃによって形成され、メモリホッパ７から排出される各被計量物２０Ａ，２０Ｂ，２０Ｃは対応するそれぞれの滑動面９ａ，９ｂ，９ｃに到達する構成となっているが、図４に示すように、滑動面１９が、ホッパの並び方向Ｘにおける両外側に急傾斜に形成されている第１の滑動面１９ａと、第１の滑動面１９ａから吐出口１１までを緩傾斜に形成されている第２の滑動面１９ｂとからなり、メモリホッパ７から排出される被計量物２０が１つの滑動面に２つ以上到達する構成としてもよい。これにより、上記同様の効果が得られる。
【００４２】
また、図５に示すように、滑動面２９が、正面視でみて略半円形となるような連続する曲面に形成される構成としてもよい。これによっても、上記同様の効果が得られる。
【００４３】
ここまで、組合せ計量装置１は、メモリホッパ７から被計量物２０が排出される形態で説明したが、メモリホッパ７がない組合せ計量装置１もあり、この場合は、計量ホッパ６から上記の説明と同様にして被計量物２０が排出される。
【図面の簡単な説明】
【００４４】
【図１】本発明の組合せ計量装置の一実施の形態を示す正面図である。
【図２】（ａ）同組合せ計量装置を構成する集合シュートの一実施の形態を示す上方からの斜視図である。  （ｂ）同下方からの斜視図である。
【図３】（ａ）本発明の組合せ計量装置を構成する集合シュート内における被計量物の動作を示す動作図である。  （ｂ）本発明の組合せ計量装置を構成する集合シュート内における被計量物の動作を示す動作図である。  （ｃ）本発明の組合せ計量装置を構成する集合シュート内における被計量物の動作を示す動作図である。  （ｄ）本発明の組合せ計量装置を構成する集合シュート内における被計量物の動作を示す動作図である。  （ｅ）本発明の組合せ計量装置を構成する集合シュート内における被計量物の動作を示す動作図である。
【図４】本発明の組合せ計量装置を構成する集合シュートの他の実施の形態を示す正面図である。
【図５】本発明の組合せ計量装置を構成する集合シュートの他の実施の形態を示す正面図である。
【図６】従来の組合せ計量装置を示す正面図である。
【符号の説明】
【００４５】
１…組合せ計量装置
４…ホッパ
４ａ…最下段に位置するホッパ
８…集合シュート
９…滑動面
１１…吐出口
２０…被計量物
【図１】
2005140583.tif 000003
【図２】
2005140583.tif 000004
【図３】
2005140583.tif 000005
【図４】
2005140583.tif 000006
【図５】
2005140583.tif 000007
【図６】
2005140583.tif 000008